(57)【要約】【課題】記録媒体に記録可能な画像データ数を表示すると、１回の撮影によって複数の画像データを生成する場合に、撮影者が撮影可能な回数を誤認してしまう。【解決手段】１回の撮影によって得られた画像データに対して互いに異なる条件で画像処理手段（７）に画像処理を行わせ、画像処理手段により得られた複数の処理済み画像データを、記録手段（１５）を介して記録媒体に記録する制御手段（３９）を有し、制御手段は、記録媒体の残り容量に記録可能な画像データ数と、１回の撮影によって生成される処理済み画像データの数とに応じて残りの撮影可能回数を算出し、この撮影可能回数に関する情報を情報出力手段（３６）に出力させる。【選択図】  図２
2004260751.tif 000002
【特許請求の範囲】
【請求項１】
被写体像を光電変換により撮影する撮像手段と、
この撮像手段から得られた画像データに対して画像処理を行う画像処理手段と、
この画像処理手段により生成された処理済み画像データを記録媒体に記録する記録手段と、
１回の撮影によって得られた画像データに対して互いに異なる条件で前記画像処理手段に画像処理を行わせ、この画像処理により得られた複数の処理済み画像データを、前記記録手段を介して前記記録媒体に記録する制御手段と、
撮影可能回数に関する情報を出力する情報出力手段とを有し、
前記制御手段は、前記記録媒体の残り容量に記録可能な画像データ数と、１回の撮影によって生成される処理済み画像データの数とに応じて、残りの撮影可能回数を算出し、この撮影可能回数に関する情報を前記情報出力手段に出力させることを特徴とするカメラ。
【発明の詳細な説明】
【０００１】
【発明の属する技術分野】
本発明は、例えば１回の撮影動作によって得られた画像に対して現像処理条件を変えながら複数の画像を現像するブラケット撮影機能を有するカメラに関するものであり、特に、ブラケット撮影機能の設定時に残り撮影回数を計測して表示することができるカメラに関するものである。
【０００２】
【従来の技術】
近年、被写体像を撮像光学系により固体撮像素子上、例えばＣＣＤ二次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
この種の電子カメラの多くは、撮影時の撮影状況に応じて露出、焦点調節および色処理を自動制御するオート機能を有している。そして、撮影者の意図した画像が得られるように、色処理や露出制御を自動的かつ段階的に変更して複数の画像を連続撮影するオートブラケット撮影機能を有するカメラや、１回の撮影を行い露光以降の現像処理、例えば色処理だけを自動的かつ段階的に変更して複数枚の画像を生成するブラケット撮影機能を有するカメラがある。
【０００４】
一方、記録媒体の容量を計算して撮影可能な残り枚数を表示パネルに表示できる電子カメラがある（例えば、特許文献１〜３参照）。
【０００５】
【特許文献１】
特開平６−１３３１９３号公報
【特許文献２】
特開２０００−４１２０７号公報
【特許文献３】
特開２００３−１８４４２号公報
【０００６】
【発明が解決しようとする課題】
従来、１回の撮影動作において１枚の画像が生成されるため、残り枚数表示と撮影できる回数は同じである。しかし、１回の撮影で複数の画像データを生成し、これらの画像データを記録媒体に記録する場合、撮影可能な残り枚数が十分あると思っても、ブラケット撮影により自動的に複数枚の画像が生成されることで、撮影者の意図に反して記録媒体の容量をオーバーしてしまい、撮影ができなくなっしまうことがある。
【０００７】
本発明は、上述した実情を考慮してなされたものであり、記録媒体に記録できる画像データ数および撮影できる回数とを分かりやすく撮影者に知らせることにより、撮影者の意図に反して記録媒体に画像データが記録されないのを防止することができるカメラを提供することを目的とする。
【０００８】
【課題を解決するための手段】
本発明のカメラは、被写体像を光電変換により撮影する撮像手段と、撮像手段から得られた画像データに対して画像処理を行う画像処理手段と、画像処理手段により生成された処理済み画像データを記録媒体に記録する記録手段と、１回の撮影によって得られた画像データに対して互いに異なる条件で画像処理手段に画像処理を行わせ、この画像処理により得られた複数の処理済み画像データを、記録手段を介して記録媒体に記録する制御手段と、撮影可能回数に関する情報を出力する情報出力手段とを有し、制御手段は、記録媒体の残り容量に記録可能な画像データ数と、１回の撮影によって生成される処理済み画像データの数とに応じて、残りの撮影可能回数を算出し、この撮影可能回数に関する情報を情報出力手段に出力させることを特徴とする。
【０００９】
【発明の実施の形態】
以下、図面を参照して本発明の１実施形態であるカメラ（電子スチルカメラ）について説明する。
【００１０】
図１は、本実施形態であるカメラの外観斜視図である。同図に示すように、本実施形態の電子カメラ（カメラシステム）は、カメラ本体２１と、このカメラ本体２１に着脱可能なレンズ鏡筒２２とで構成されている。
【００１１】
レンズ鏡筒２２がカメラ本体２１に装着されると、レンズ鏡筒２２およびカメラ本体２１間で通信が可能となる。レンズ鏡筒２２には不図示のＡＦ／ＭＦ切換えスイッチがあり、オートフォーカスとマニュアルフォーカスの切換えを行うことができる。
【００１２】
レンズ鏡筒２２から入射した被写体光束は、カメラ本体２１内に設けられた光学ファインダ２３に導かれ、撮影者は光学ファインダ２３を介して被写体像を観察することができる。
【００１３】
カメラ本体２１には、操作部材としてレリーズボタン２４、メニューボタン２５、撮影モードダイアル２６、消去ボタン２７、十字キーボタン８、再生ボタン９、電子ダイアル１１、ＳＥＴボタン１２、メインスイッチ５１、その他のボタン９９が設けられている。
【００１４】
また、カメラ本体２１の背面には撮影画像や撮影情報等を表示するカラー液晶ディスプレイ５３が設けられ、カメラ本体２１の上面には撮影情報等を表示する上面液晶ディスプレイ５４が設けられている。カメラ本体２１の側面には、記録媒体を収納するための収納室が設けられており、この近傍には収納室の開口部を覆う蓋部材５２が設けられている。
【００１５】
撮影を行う場合、まずメインスイッチ５１を操作（ＯＮ状態）した後、撮影モードダイアル２６の操作により所望の撮影モードを設定する。ここで、Ｔｖ優先ＡＥモードが設定され、シャッタスピードなどの設定が必要な場合には、上面液晶ディスプレイ５４に表示される値をみながら電子ダイアル１１を操作することによりＴｖ値を設定することができる。
【００１６】
レリーズボタン２４は２段階の押圧操作が可能であり、半押し操作すると撮影準備動作（測光動作や焦点調節動作等）が開始され、全押し操作すると撮影動作（撮像素子への露光）が開始される。撮影動作が終了すると、撮像素子から読み出された画像データは、所定の処理が施されてから記録媒体に書き込まれる。
【００１７】
再生ボタン９を押すと、カラー液晶ディスプレイ５３に撮影した画像が表示される。この状態で、十字キー１２の左右ボタンを押すと別の画像を表示することができる。カラー液晶ディスプレイ５３に画像が表示されている状態で消去ボタン２７を押すと、表示された画像を消去することが可能である。
【００１８】
カメラの設定は、設定ボタン（ボタン９９の一部）を押して設定モードに入り、上面液晶ディスプレイ５４の表示を見ながら電子ダイアル１１を操作して行うものと、メニューボタン２５を押してカラー液晶ディスプレイ５３に表示されるメニュー表示を見ながら十字キーボタン８を操作してメニューを選択し、ＳＥＴボタン１２を操作することでメニューの設定を行うものとがある。
【００１９】
図２は、本実施形態に係るカメラの内部構成を示すブロック図である。
【００２０】
同図において、１はレンズ鏡筒２２に設けられた撮影レンズであり、２は撮影光路内に進退可能な遮光羽根を有するシャッタである。３はＣＣＤ等で構成された撮像素子（撮像手段）であり、撮影レンズ１から入射した被写体光束を受光して、光電変換により電気信号に変換する素子である。
【００２１】
４は、撮像素子３から出力された信号に対してガンマ補正等の公知のカメラ信号処理を行うプロセス回路であり、５は、プロセス回路４のアナログ出力をデジタル信号化するＡ／Ｄ変換器である。
【００２２】
１３は、例えばＤＲＡＭ等のバッファメモリであり、Ａ／Ｄ変換器５でＡ／Ｄ変換されたデジタル信号を一時的に記憶する。７は画像処理部（色処理部、画像処理手段）であり、バッファメモリ１３から読み出された画素信号に対してオートホワイトバランス、起動、色信号生成その他の色処理を施す。
【００２３】
画像処理部７により生成されたカラー画像信号（処理済み画像データ）は、再度バッファメモリ１３に蓄えられる。
【００２４】
１４は表示処理部であり、画像処理部７により画像処理が行われた後、再度バッファメモリ１３に蓄えられたカラー画像信号を、後述する背面表示部１０にカラー画像として表示させるための処理を行う。１０は背面表示部（カラー液晶ディスプレイ５３に相当する）であり、表示処理部１４で処理されたカラー画像信号の入力を受けてカラー画像を表示する。
【００２５】
６は圧縮／伸張処理部であり、画像処理部７により画像処理が行われた後、再度バッファメモリ１３に蓄えられたカラー画像信号を圧縮したり、後述するように圧縮されたカラー画像信号を伸張したりする。
【００２６】
１５は、圧縮／伸張処理部６で圧縮処理されたカラー画像信号を記録する記録再生処理部（記録手段）である。１８はカメラ本体２１に設けられたコネクタであり、メモリカード等の記録媒体１６とカメラ本体２１との電気的接続を行う。
【００２７】
記録媒体１６としては、例えばカード型フラッシュメモリのような半導体メモリにより構成されたメモリカードが一般的に使用されるが、メモリカードに限られるものではなく、例えばハードディスクやフロッピー（登録商標）ディスクのような磁気記録媒体等、種々の形態のものを使用できる。
【００２８】
記録媒体１６に記録された画像を再生するときは、コネクタ１８を通して記録再生処理部１５により画像データの再生処理を行い、圧縮／伸張処理部６で伸張処理を行ってからバッファメモリ１３に一時的に記憶する。そして、撮影時と同様にバッファメモリ１３に記憶された画像データを表示処理部１４で処理して、背面表示部１０で画像を表示（再生）する。
【００２９】
３９はシステム制御回路であり、スイッチ群３１からの入力を受けることによって入力に応じた動作を行ったり、カメラ本体２１に装着されている記録媒体１６の種類及び記録媒体１６の状態（残り記憶容量等）を検出したり、そのほか後述するようにカメラ本体２１の検出装置（焦点検出回路３０や測光回路３１等）の入力に応じてカメラ動作の制御を行ったりする。
【００３０】
２８はシャッタ駆動回路であり、システム制御回路３９からの指示を受けてシャッタ２を駆動する。このシャッタ２の駆動によって遮光羽根が撮影光路内に進退して露出を制御することになる。
【００３１】
２９はレンズ駆動回路であり、システム制御回路３９からの指示を受けて撮影レンズ１内のフォーカシングレンズを駆動する。このフォーカシングレンズの駆動により焦点調節が行われる。
【００３２】
３０は焦点検出回路であり、システム制御回路３９からの指示を受けて撮影光学系の焦点調節状態を検出し、この検出結果をシステム制御回路３９に送る。システム制御回路３９は、撮影光学系の焦点調節状態に応じてフォーカシングレンズの駆動制御を行う。
【００３３】
３１は測光回路であり、システム制御回路３９からの指示を受けて被写体の明るさを測定（測光）し、この測光結果をシステム制御回路３９に送る。システム制御回路３９は、測光結果に基づいて露出値を決定する。３２はストロボであり、システム制御回路３９からの指示を受けて被写体に照明光を照射する。
【００３４】
３４は電源制御回路であり、後述する電源部３５の状態検出及び制御を行う。３５は電源部で、電池、ＤＣ−ＤＣコンバータ、通電するブロックを切り換えるスイッチ等により構成されており、電源制御回路３４によって制御される。
【００３５】
また、電源制御回路３４は、電池装着の有無、電池の種類、電池残量の検出を行い、検出結果及びシステム制御回路３９の指示に基づいて電源部３５を制御している。
【００３６】
３６は表示装置（上面液晶ディスプレイ５４に相当する、情報出力手段（表示手段））であり、システム制御回路３９からの指示を受けてカメラの動作状態（撮影枚数等）等を表示する。３７は、システム制御回路３９の撮影動作用定数、変数等を記憶する制御用メモリである。
【００３７】
３８は、システム制御回路３９に対して各種の動作指示を行うためのスイッチ群である。スイッチ群３８には、以下に説明するスイッチが含まれる。
【００３８】
メインスイッチ４０（メインスイッチ５１に相当する）は、メインスイッチ５１の操作に応じてＯＮ／ＯＦＦ状態が切り換わり、ＯＮ状態でカメラを起動させる。スイッチ（ＳＷ１）４２は、レリーズボタン２４の半押し操作によりＯＮ状態となり、焦点検出回路３０による焦点検出動作と測光回路３１による測光動作とを開始させる指示を行う。
【００３９】
スイッチ（ＳＷ２）４３は、レリーズボタン２４の全押し操作によりＯＮ状態となり、シャッタ２を駆動して露光動作を開始させる指示を行う。メニュースイッチ４４は、ＯＮ状態になることでカメラのカラー液晶ディスプレイ５３にカメラの設定メニューを表示させる指示を行う。
【００４０】
スイッチ群４５は、十字キーボタン８の左右上下方向のボタンのうちいずれかのボタンが押圧されることでＯＮ状態となる複数のスイッチで構成されており、ＯＮ状態となるスイッチに応じてメニューの切り換え方向を指示する。
【００４１】
設定スイッチ４６は、ＯＮ状態になることで十字キーボタン８の操作によって選択されたメニューを設定する指示を行う。
【００４２】
消去スイッチ４７は、消去ボタン２７の押圧操作によってＯＮ状態となり、撮影した画像の消去を指示する。消去ボタン２７の操作によって、撮影された画像の中から不要な画像を指示して、この画像を消去することなどができる。
【００４３】
再生スイッチ４８は、再生ボタン９の押圧操作によってＯＮ状態となり、撮影した画像をカラー液晶ディスプレイ５３に表示させる指示を行う。再生ボタン９の操作により、カメラを撮影モードと再生モードとの間で切り換えることができる。
【００４４】
上述したスイッチの他に、カメラの撮影条件の設定を行う電子ダイアルに応じてＯＮ／ＯＦＦ状態となるスイッチ４９等がある。
【００４５】
なお、図２中では一つのスイッチとして書かれているが、複数のスイッチにより構成されている場合もある。また、上述したスイッチ以外にも不図示のスイッチが存在する。この不図示のスイッチは、ボタン９９やダイアル、レバーなどと連動している。
【００４６】
図４を用いて本実施形態のカメラにおける上面液晶ディスプレイ５４の表示について説明する。
【００４７】
１０００はシャッタ速度表示部であり、シャッタ速度（Ｔｖ値）以外にも、データ処理中のＢｕｓｙ、バックアップ電池警告、ＩＳＯ感度の表示などを行う。１００１は絞り値表示部であり、この部分で絞り値（Ａｖ値）を表示するほかに、表示部１０００との組み合わでＣＦ  ＦＵＬＬ表示、ＣＦエラー表示、焦点検出領域表示、エラーコード表示なども行う。
【００４８】
１００２は撮影可能回数表示部であり、現在カメラ本体２１に装着されている記録媒体１６に記録可能な画像データの数に相当する撮影可能な回数（通常撮影可能回数）を表示する。通常撮影可能回数とは、１回の撮影動作で１つの画像が作成されるとしたときの撮影可能な回数である。
【００４９】
表示部１００２は、上記表示の他にもセルフタイマ作動中のカウントダウン表示や、バルブ露光時の経過時間表示を行う。
【００５０】
システム制御回路３９は、記録再生処理部１５を介して得られた記録媒体１６の残り容量と、メモリ３７に格納されている画像サイズの予測量とに基づいて撮影可能な回数を計算する。なお、メモリ３７の中には、記録画像の大きさ、圧縮率、ＩＳＯ感度別に画像サイズの予測量が格納されている。
【００５１】
ここで、ホワイトバランスブラケット（以下、ＷＢ−ＢＫＴ）が設定されているときには、表示部１００２には、上記通常撮影可能回数を、１回の撮影動作で現像処理する回数（１回の露光で作成される画像数）で除算した回数（ＢＫＴ撮影可能回数）が表示される。
【００５２】
１００３はＩＳＯ設定モード中に表示されるＩＳＯ設定マークである。１００４、１００５、１００６はそれぞれ、カスタム機能マーク、電子音機能を示す電子音マーク、赤目緩和機能を示す赤目マークであって、それぞれの機能設定がなされているときに点灯する。
【００５３】
１００７はＡＦ動作モード表示部であり、撮影レンズ１がオートフォーカスに設定されている場合には、ＯＮＥ  ＳＨＯＴ、ＡＩ  ＦＯＣＵＳ、ＡＩ  ＳＥＲＶＯ  のいづれかが点灯する。撮影レンズ１がマニュアルフォーカスに設定されている場合は、非点灯となる。
【００５４】
１００８は測光モード表示部、１００９はドライブ＆セルフモード表示部であり、各モードが設定されているときに点灯する。１０１０は露出補正表示部であり、マニュアル撮影モードでの露出レベル、ＡＥ撮影モードでの露出補正量、ＡＥＢ撮影時のＡＥＢレベルを表示する。また、表示部１０１０は、記録媒体１６に書き込み中のプログレスバー表示も行う。
【００５５】
１０１１はＡＥＢマーク、１０１２は調光補正マークであり、それぞれＡＥＢ設定、調光補正設定がなされているときに点灯する。１０１３は電池マークであり、全点灯、半分点灯、空点滅することで電源の状態を表示する。
【００５６】
１０１４はホワイトバランス表示部であり、オート（ＡＷＢ）、ＡＷＢの左下に位置するマークから反時計回りに太陽光、日陰、くもり、電球、蛍光灯、ストロボ、マニュアル、色温度（Ｋ）の９つのマークを有している。そして、これらのマークのうち設定に応じたマークが点灯する。
【００５７】
ＷＢ−ＢＫＴの設定が行われると、点灯状態から点滅状態に切り換わり、ブラケットが設定されていることを表す。
【００５８】
１０１５は記録画質表示部であり、画像の大きさを示すＬ（ラージ）、Ｍ（ミドル）およびＳ（スモール）と、画像の圧縮率を示すファインおよびノーマルと、非圧縮を示すＲＡＷなどが表示される。カメラがＲＡＷモード（記録モード）に設定されている場合、撮像素子３から読み出された画像信号は、画像処理部７での画像処理を受けずに記録媒体１６に記録されるようになっている。
【００５９】
図６は、カラー液晶ディスプレイ５３に表示されるメニュー表示の一例であり、ＷＢ−ＢＫＴの設定状態を示している。
【００６０】
十字キーボタン８のうち上下のボタンを操作することにより、カラー液晶ディスプレイ５３に表示されている７つの項目のうちＷＢ−ＢＫＴ設定を選択することができ、十字キーボタン８のうち左右のボタンを操作することによりブラケット量を選択することができる。そして、ブラケット量を選択した後、ＳＥＴボタン１２を押すことによりＷＢ−ＢＫＴの設定が終了する。
【００６１】
ＷＢ−ＢＫＴが設定されると、上面液晶ディスプレイ５４のホワイトバランス表示部１０１４内で点灯しているマークが点滅し、撮影者にＷＢ−ＢＫＴが設定されたことを知らせる。
【００６２】
本実施形態のカメラにおいて、ＷＢ−ＢＫＴの設定では、図６に示すように、設定しているホワイトバランスの標準温度に対して１段ステップ、±３段の範囲内で色温度を変更することができる。そして、１回のレリーズ動作に応じて、標準色温度から自動的に色温度を変えながら３枚の画像を現像することができる。
【００６３】
なお、ＷＢ−ＢＫＴの設定のステップ、設定範囲、現像枚数はこれに限定されるものではなく、他の設定としてもよい。例えば、色処理を施す回数の選択肢としては、３回、５回又は７回など、基本的な色処理条件を中心に据えることのできる奇数を用いることができる。
【００６４】
ここで、１段ステップは、色温度変換フィルターの５ミレッドに相当する。現像する色温度の順は通常、標準色温度、マイナス（赤色）補正、プラス（青色）補正となる。カメラ設定を変更することにより、マイナス（赤色）補正、標準色温度、プラス（青色）補正の順に現像を行うこともできる。
【００６５】
ＷＢ−ＢＫＴ撮影では、露光は１回なので、記録媒体１６に記録される順序が変わることになる。
【００６６】
通常撮影可能回数およびＢＫＴ撮影可能回数は、レリーズボタンを全押し操作（レリーズ）できる回数を表示するものであり、１回のレリーズで３枚の画像を現像するＷＢ−ＢＫＴの設定を行うとＢＫＴ撮影可能回数は通常撮影可能回数の１／３になる。そして、レリーズする度にＢＫＴ撮影可能回数のカウント値が１つづつ減っていき、カウント値が０で「ＦＵＬＬ  ＣＦ」となる。
【００６７】
従来、ＷＢ−ＢＫＴを設定しても撮影可能回数の表示は変わらず、１回レリーズする毎に３づつ撮影可能回数が減っていっている。このため、残りの撮影可能回数が３を下回ると撮影ができなくなり、撮影者は撮影できないのに撮影できると誤認してしまったり、設定したブラケット撮影が全て終了しないうちに記録媒体１６に画像データを記録できなくなってしまったりといった不具合が発生している。
【００６８】
特に、ブラケット撮影で現像される画像枚数を変えられる場合（５枚や７枚などの多い枚数に設定した場合に顕著になる）、あと何回撮影できるのかが分かりにくい。
【００６９】
撮影するときには、残り何枚の画像が記録媒体１６に記録できるかよりも何回撮影できるかどうかが重要であり、かかる観点より本実施形態のカメラでは、常に撮影可能な回数（通常撮影可能回数又はＢＫＴ撮影可能回数）を表示することにより、レリーズ可能な回数を撮影者に分かり易くしている。
【００７０】
図７は、本実施形態のカメラにおいて、撮影可能な回数を表示する制御動作を示すフローチャートである。
【００７１】
同図において、システム制御回路３９は、ＷＢ−ＢＫＴの設定が行われているか否かを判別し（ステップＳ７１）、ＷＢ−ＢＫＴの設定が行われている場合にはステップＳ７４に進み、設定されていない場合にはステップＳ７２に進む。
【００７２】
ステップＳ７２では、上述したように記録媒体１６の残り容量と画像サイズの予測量とに基づいて通常撮影可能回数を算出し、ステップＳ７３において、表示装置３６に制御信号を出力することで、上面液晶ディスプレイ５４の表示部１００２に通常撮影可能回数を表示させる。このときの上面液晶ディスプレイ５４の表示状態を図５（ａ）に示す。表示部１００２では、撮影可能な回数が「６５」であることを示している。
【００７３】
一方、ステップＳ７４では、ＷＢ−ＢＫＴの設定において、１回のレリーズで現像される画像の枚数を読み出す。本実施形態では画像枚数を３枚としているが、画像枚数を変更可能な場合には、予め変更された画像枚数となる。
【００７４】
ステップＳ７５では、上述したように通常撮影可能回数を算出するとともに、この算出された通常撮影可能回数と１回の撮影で現像される画像の数とに基づいて、ＢＫＴ撮影可能回数を算出する。
【００７５】
具体的には、通常撮影可能回数を、１回の撮影で現像される画像の数で割ったものが、ＢＫＴ撮影可能回数となる。
【００７６】
ステップＳ７６において、システム制御回路３９は、表示装置３６に制御信号を出力することで、上面液晶ディスプレイ５４の表示部１００２にＢＫＴ撮影可能回数を表示させる。このときの上面液晶ディスプレイ５４の表示状態を図５（ｂ）に示す。
【００７７】
表示部１００２では、撮影可能な回数が「２１（略６５／３）」であることを示している。すなわち、ＷＢ−ＢＫＴの設定を行ったままで撮影を行う場合には、レリーズ動作を２１回行うことができることを示している。
【００７８】
一方、例えば、通常撮影可能回数が「２」の場合には、上面液晶ディスプレイ５４の表示は「ＦＵＬＬ  ＣＦ」となり、ブラケット撮影ができないことを撮影者に知らせる。この場合、上面液晶ディスプレイ５４での表示だけでなく、音や振動によってブラケット撮影ができないことを撮影者に知らせるようにしてもよい。
【００７９】
上述したフローにおいて、ＲＡＷモードが設定されている場合には、ＷＢ−ＢＫＴの設定が行われているか否かに拘わらず、システム制御回路３９は、上述したように記録媒体１６の残り容量と、メモリ３７に格納されている画像サイズの予測量のうちＲＡＷモードに相当する予測量とに基づいて通常撮影可能回数を演算する。
【００８０】
そして、システム制御回路３９は、表示装置３６に制御信号を出力することで、上面液晶ディスプレイ５４の表示部１００２に通常撮影可能回数を表示させる。
【００８１】
なお、非圧縮のＲＡＷモードが選択されている場合、ＷＢ−ＢＫＴ設定を一時的に保留し、レリーズボタン２４を操作してもブラケット撮影動作は行われないようにすることもできる。すなわち、ブラケット設定がキャンセルされてしまうわけではなく、記録画質をＲＡＷモードから別なモードに変更するとブラケット撮影動作が行われるようにすることができる。
【００８２】
また、本実施形態では、撮影可能な回数（通常撮影可能回数およびＢＫＴ撮影可能回数）を上面液晶ディスプレイ５４で表示して撮影者に知らせているが、他の手段（情報表示手段）として、例えば、音声を用いて撮影可能な回数を知らせることもできる。
【００８３】
次に、画像処理部（色処理部）７により施される色処理について説明する。
【００８４】
撮像素子３から読み出され、Ａ／Ｄ変換器５によりデジタル信号に変換された後、バッファメモリ１３に一時的に記憶される画素信号には、まず、システム制御回路３９から与えられるホワイトバランス係数を用いた第１の色処理が施される。
【００８５】
このホワイトバランス係数を、例えばＲ／Ｇ（グリーンに対する赤のバランス）＝０．５→１．５、Ｂ／Ｇ（グリーンに対する青のバランス）＝１．５→０．５に変化させると、ホワイトバランスを低→高色温度に変化させたことと同様になり、空でいえば青い空から夕焼けの空まで表現することができる。
【００８６】
次に、この画素信号には、システム制御回路３９から与えられるマトリックス係数を用いた第２の色処理が施される。このマトリックス係数（３×３）を変化させると、例えば肌色の色再現を赤→黄に変化させることができる。
【００８７】
さらに、この画素信号には、システム制御回路３９から与えられる色差係数を用いた第３の色処理が施される。この色差係数を変化させると、第２の色処理におけるマトリックス係数の変化と同様、例えば肌色の色再現を赤→黄に変化させることができる。
【００８８】
システム制御回路３９は、ブラケット撮影モードで撮影を行なう場合に、ホワイトバランス係数、マトリックス係数および色差係数のうち少なくとも１つの係数を異ならせながら、撮像素子３から読み出され、Ａ／Ｄ変換器５によりデジタル信号に変換された後、バッファメモリ１３に一時的に記憶される画素信号に複数回の色処理を施すべく画像処理部（色処理部）７を動作制御する。
【００８９】
本実施形態では、ホワイトバランス係数を変えながら複数回の色処理を行うホワイトバランスブラケットに関するものであり、図３に示すフローチャートを参照しながら本実施形態のカメラにおけるブラケット撮影動作の手順を説明する。なお、この動作制御はシステム制御回路３９によって行なわれる。
【００９０】
撮影動作を実行するにあたり、カメラの撮影モードやホワイトバランスブラケットなどの設定はあらかじめ行われているものとする。上述したように、焦点調節動作及び測光動作はレリーズボタン２４の半押し操作で行われ、シャッタ駆動及び露光動作はレリーズボタン２４の全押し操作をトリガにして行うが、以下の説明はそれらの動作が順に行われたものとして説明している。
【００９１】
システム制御回路３９は、焦点検出回路３０を駆動して得られる撮影光学系の焦点調節状態に基づいて、レンズ駆動回路２９により撮影レンズ１のフォーカシングレンズを駆動することで被写体に焦点を合わせる。同時に、測光回路３１を駆動して得られる測光データをメモリ３７の所定アドレスに保存する。（ステップＳ６１）。
【００９２】
次に、メモリ３７に保存された測光データに基づいて露出制御すべきシャッタスピード及び絞り値を計算し、これに従いシャッタ駆動回路２８によりシャッタ２を開放状態にして撮像素子３を露光する。ここで、予め撮像素子３の電荷蓄積を開始した後、シャッタ２を開放状態とする（ステップＳ６２、Ｓ６３）。
【００９３】
本実施形態では、シャッタ２により露光時間の制御を行っているため、撮像素子３の電荷蓄積開始→シャッタ２の開き状態→シャッタ２の閉じ状態→撮像素子３の電荷蓄積終了の順になっているが、撮像素子３の電荷蓄積開始、終了により露光制御を行う場合は、シャッタ２の開き状態→撮像素子３の電荷蓄積開始→撮像素子３の電荷蓄積終了→シャッタ２の閉じ状態の順でもよい。
【００９４】
シャッタ２を閉じ状態とした後（ステップＳ６４）、撮像素子３での電荷蓄積を終了（露光終了）させ（ステップＳ６５）、撮像素子３から蓄積された電荷信号を読み出し、プロセス回路４およびＡ／Ｄ変換器５を介して、バッファメモリ１３に撮影画像のデータを書き込む（ステップＳ６６）。
【００９５】
バッファメモリ１３に一時的に記憶される画素信号は、まず、システム制御回路３９から与えられる標準のホワイトバランス係数を用いた第１の色処理を施すための設定が行われる（ステップＳ６７）。ＷＢ−ＢＫＴの順序変更の設定が行われている場合は、標準の設定値ではなく１枚目の現像処理の設定にしたがって画像処理部（色処理部）７を動作制御する。
【００９６】
これにより、バッファメモリ１３に記憶された画像信号に対して第１の色処理（現像処理）が施される（ステップＳ６８）。
【００９７】
画像処理及び色処理によって生成された画像データは、圧縮／伸張回路６で圧縮された後、記録再生処理部１５により記録媒体１６に記録される（ステップＳ６９）。
【００９８】
次に、ＷＢ−ＢＫＴが終了したか否かを判別する（ステップＳ７０）。ＷＢ−ＢＫＴの設定が行われていない場合や、ＷＢ−ＢＫＴが終了した場合はリターンする。ＷＢ−ＢＫＴの現像が残っている場合には、再び現像処理を行うべくステップＳ６７へ戻る。
【００９９】
ステップＳ６７に戻ると、ＷＢ−ＢＫＴの設定内容に応じて標準の設定値とは異なるホワイトバランス係数が設定される。このホワイトバランス係数を、例えばＲ／Ｇ（グリーンに対する赤のバランス）＝０．５→１．５、Ｂ／Ｇ（グリーンに対する青のバランス）＝１．５→０．５に変化させると、ホワイトバランスを低→高色温度に変化させたことと同様になり、空でいえば青い空から夕焼けの空まで表現することができる。
【０１００】
ＷＢ−ＢＫＴの全ての現像（本実施形態では３回の現像）が終了するまで、ステップＳ６７、ステップＳ６８、ステップＳ６９を繰り返し、現像が終了した時点で不図示のカメラのメイン制御ルーチンに戻る。
【０１０１】
なお、本実施形態では、ホワイトバランスブラケットの場合について説明したが、１回のレリーズ動作で複数の画像データ（処理済み画像データ）が生成されるものであれば、本発明を適用することができる。例えば、露出を変更して複数の画像データを生成する場合に、本発明を適用することができる。
【０１０２】
また、本実施形態では、レンズ鏡筒２２およびカメラ本体２１からなるカメラシステムについて説明したが、レンズ鏡筒およびカメラ本体が一体型のカメラについても本発明を適用することができる。
【０１０３】
以上説明した実施形態は、以下に示す各発明を実施した場合の一例でもあり、下記の各発明は上記実施形態に様々な変更や改良が加えられて実施されるものである。
【０１０４】
〔発明１〕  被写体像を光電変換により撮影する撮像手段と、
この撮像手段から得られた画像データに対して画像処理を行う画像処理手段と、
この画像処理手段により生成された処理済み画像データを記録媒体に記録する記録手段と、
１回の撮影によって得られた画像データに対して互いに異なる条件で前記画像処理手段に画像処理を行わせ、この画像処理により得られた複数の処理済み画像データを、前記記録手段を介して前記記録媒体に記録する制御手段と、
撮影可能回数に関する情報を出力する情報出力手段とを有し、
前記制御手段は、前記記録媒体の残り容量に記録可能な画像データ数と、１回の撮影によって生成される処理済み画像データの数とに応じて、残りの撮影可能回数を算出し、この撮影可能回数に関する情報を前記情報出力手段に出力させることを特徴とするカメラ。
【０１０５】
上記発明１によれば、記録媒体の残り容量に記録可能な画像データ数と、１回の撮影によって生成される画像データの数とに応じて、残りの撮影可能回数を算出し、この撮影可能回数に関する情報を情報出力手段に出力させることで、撮影者に後何回撮影を行うことができるかを知らせるようにしている。
【０１０６】
すなわち、１回の撮影によって複数の画像データが生成される場合には、記録媒体の残り容量に記録可能な画像データの数を撮影可能回数とするのではなく、１回の撮影で複数の画像データが生成されることを考慮に入れて実際に撮影を行うことができる回数（生成される複数の画像データを記録媒体に記録させることができる回数）を撮影可能回数として撮影者に知らせている。
【０１０７】
これにより、１回の撮影で複数の画像データを生成するときには、実際に撮影できる回数を表示することで、上述した課題で説明したように撮影者が撮影できる回数を誤認するのを防止することができる。
【０１０８】
また、実際に撮影可能な回数を撮影者に知らせ、各撮影で生成された複数の処理済み画像データのすべてを記録媒体に記録させることができるため、上述した課題で説明したように複数の画像データの一部が記録媒体に記録できないといった不都合を回避することができる。
【０１０９】
〔発明２〕  前記情報出力手段が、前記撮影可能回数に関する情報を表示する表示手段であることを特徴とする前記発明１に記載のカメラ。
【０１１０】
〔発明３〕  前記画像処理手段が、前記画像データに対して色処理を行うことが可能であり、
前記制御手段は、ホワイトバランス係数、マトリックス係数および色差係数のうち少なくとも１つの係数を変更して前記画像処理手段で色処理を行わせることを特徴とする前記発明１に記載のカメラ。
【０１１１】
〔発明４〕  少なくとも前記ホワイトバランス係数を変更可能な変更手段を有することを特徴とする前記発明３に記載のカメラ。
【０１１２】
〔発明５〕  １回の撮影によって生成される処理済み画像データの数を変更可能な変更手段を有することを特徴とする前記発明１に記載のカメラ。
【０１１３】
〔発明６〕  前記制御手段は、１回の撮影によって得られた画像データに対して１つの条件で前記画像処理手段に画像処理を行わせることが可能であり、１つの条件で画像処理を行わせるときには、前記記録媒体の残り容量に記録可能な画像データ数に相当する撮影可能回数に関する情報を前記情報出力手段に出力させることを特徴とする前記発明１に記載のカメラ。
【０１１４】
〔発明７〕  前記撮像手段から得られた画像データを、前記画像処理手段による画像処理を介さずに前記記録媒体に記録させるための記録モードが設定可能なカメラにおいて、
前記制御手段は、前記記録モードが設定されているときには、前記記録媒体の残り容量に記録可能な画像データ数に相当する撮影可能回数に関する情報を前記情報出力手段に出力させることを特徴とする前記発明１に記載のカメラ。
【０１１５】
【発明の効果】
本発明によれば、１回の撮影によって複数の画像データを生成する場合に、実際に撮影を行うことができる回数（撮影可能回数）に関する情報を出力することにより、撮影者が撮影できる回数を誤認するのを防止することができる。
【図面の簡単な説明】
【図１】本実施形態に係るカメラの外観斜視図。
【図２】本実施形態であるカメラの内部構成を示すブロック図。
【図３】本実施形態のカメラにおけるブラケット撮影動作の手順を説明するためのフローチャート。
【図４】本実施形態のカメラにおける上面液晶ディスプレイの表示を説明する図。
【図５】ＷＢ−ＢＫＴを設定しないときの上面液晶ディスプレイの表示図（ａ）と、ＷＢ−ＢＫＴを設定したときの上面液晶ディスプレイの表示図（ｂ）。
【図６】メニュー画面（ホワイトバランスブラケット設定）。
【図７】撮影回数の表示制御を示すフローチャート。
【符号の説明】
１・・・撮影レンズ
２・・・シャッタ
３・・・撮像素子
４・・・プロセス回路
５・・・Ａ／Ｄ変換器
６・・・圧縮／伸張処理部
７・・・画像処理部
８・・・十字キーボタン
９・・・再生ボタン
１０・・・背面表示部
１１・・・電子ダイアル
１２・・・ＳＥＴボタン
１３・・・バッファメモリ
１４・・・表示処理部
１５・・・記録再生処理部
１６・・・記録媒体
１８・・・コネクタ
２１・・・カメラ本体
２２・・・レンズ鏡筒
２３・・・光学ファインダ
２４・・・レリーズボタン
２５・・・メニューボタン
２６・・・撮影モードダイアル
２７・・・消去ボタン
２８・・・シャッタ駆動回路
２９・・・レンズ駆動回路
３０・・・焦点検出回路
３１・・・測光回路
３２・・・ストロボ
３４・・・電源制御回路
３５・・・電源部
３６・・・表示装置
３７・・・制御用メモリ
３８・・・スイッチ群
３９・・・システム制御回路
４０・・・メインスイッチ
４２・・・ＳＷ１
４３・・・ＳＷ２
４４・・・メニュースイッチ
４５・・・スイッチ群
４６・・・設定スイッチ
４７・・・消去スイッチ
４８・・・再生スイッチ
４９・・・スイッチ
５１・・・メインスイッチ
５２・・・蓋部材
５３・・・カラー液晶ディスプレイ
５４・・・上面液晶ディスプレイ
９９・・・ボタン
【図１】
2004260751.tif 000003
【図２】
2004260751.tif 000004
【図３】
2004260751.tif 000005
【図４】
2004260751.tif 000006
【図５】
2004260751.tif 000007
【図６】
2004260751.tif 000008
【図７】
2004260751.tif 000009